【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
構造化光を生成するための装置であって、第１の光学的構成を備え、前記第１の光学的構成は、
レンズピッチＰで規則的に配列された複数の透過型または反射型マイクロレンズを含むマイクロレンズアレイと、
前記マイクロレンズアレイを照射するための照射ユニットとを含み、
前記照射ユニットは、各々が波長Ｌの光を発し、各々がアパーチャを有する光源のアレイを含み、前記アパーチャは、前記マイクロレンズアレイから距離Ｄに位置する共通発光面に位置し、
Ｐ２＝２ＬＤ／Ｎであり、
Ｎは整数であり、Ｎ≧１であり、
前記光源の各々は、前記複数のマイクロレンズのそれぞれのサブセットを照射するように構成され、前記サブセットの各々は複数の隣接するマイクロレンズを含み、前記光源の各特定の１つからの光が、干渉パターンを生成するように、それぞれのサブセット内の異なるマイクロレンズを通過する、構造化光を生成するための装置。
【請求項２】
前記マイクロレンズは非球面マイクロレンズである、請求項１に記載の装置。
【請求項３】
前記マイクロレンズアレイは２次元マイクロレンズアレイである、請求項１に記載の装置。
【請求項４】
前記光源のアレイは、光源の２次元アレイである、請求項１に記載の装置。
【請求項５】
前記照射ユニットは、空間的にインコヒーレントな光を発光するように構造化および構成されている、請求項１に記載の装置。
【請求項６】
前記光源のアレイは、垂直共振器面発光レーザのアレイを備える、請求項１に記載の装置。
【請求項７】
前記アレイの光源は、光源ピッチＱで規則的に配列されており、Ｐ＝Ｑである、請求項１に記載の装置。
【請求項８】
前記マイクロレンズが前記ピッチＰで配列される軸は、前記光源が前記ピッチＱで配列される軸に平行に整列される、請求項７に記載の装置。
【請求項９】
前記アレイの前記光源は、光源ピッチＱで規則的に配列され、ＰおよびＱについてｐＰ＝ｑＱが適用され、ｐおよびｑは共通因子を持たない整数であり、ｐ≧１およびｑ≧１である、請求項１に記載の装置。
【請求項１０】
前記マイクロレンズが前記ピッチＰで配列される軸は、前記光源が前記ピッチＱで配列される軸と平行に整列される、請求項９に記載の装置。
【請求項１１】
前記装置は、第２の光学的構成を備え、前記第２の光学的構成は、
レンズピッチＰ２で規則的に配列された複数の透過型または反射型の第２のマイクロレンズを含む第２のマイクロレンズアレイと、
前記第２のマイクロレンズアレイを照射するための第２の照射ユニットとを備え、
前記第２の照射ユニットは、各々が波長Ｌ２の光を発し、各々が第２のアパーチャと称されるアパーチャを有する第２の光源のアレイを含み、前記第２のアパーチャは、前記第２のマイクロレンズアレイから距離Ｄ２に位置する第２の発光面と称される共通面に位置し、
（Ｐ２）２＝２＊Ｌ２＊Ｄ２／Ｎ２であり、
Ｎ２は整数であり、Ｎ２≧１であり、
前記第２のマイクロレンズアレイは前記第１の光学的構成の前記マイクロレンズアレイとは異なるか、または
第２の照射ユニットは、前記第１の光学的構成の照射ユニットとは異なるか、または
前記第２のマイクロレンズアレイは前記第１の光学的構成の前記マイクロレンズアレイとは異なり、かつ前記第２の照射ユニットは前記第１の光学的構成の照射ユニットとは異なる、請求項１に記載の装置。
【請求項１２】
前記第２のマイクロレンズアレイは、前記第１の光学的構成の前記マイクロレンズアレイとは異なり、前記第２のマイクロレンズアレイは、前記第１の光学的構成の前記マイクロレンズアレイに対して、前記発光面に平行な方向にシフトされる、請求項１１に記載の装置。
【請求項１３】
前記レンズピッチＰ１と前記レンズピッチＰ２とは互いに異なる、請求項１１に記載の装置。
【請求項１４】
前記波長Ｌ１と前記波長Ｌ２とは互いに異なる、請求項１１に記載の装置。
【請求項１５】
前記第２のマイクロレンズアレイは、前記第１の光学的構成の前記マイクロレンズアレイに対して回転される、請求項１１に記載の装置。
【請求項１６】
前記第２のマイクロレンズアレイと前記第１の光学的構成の前記マイクロレンズアレイとは、両方とも、各々、相互に垂直な２つの対称軸を有する矩形形状であり、前記第２のマイクロレンズアレイの前記対称軸と、前記第１の光学的構成の前記マイクロレンズアレイの前記対称軸との間の角度φは、少なくとも１度から最大２０度となる、請求項１５に記載の装置。
【請求項１７】
前記第２のマイクロレンズアレイおよび前記第１の光学的構成の前記マイクロレンズアレイは、単一部品光学部品において実施される、請求項１１に記載の装置。
【請求項１８】
前記光学的構成は、追加の光学部品を含み、前記マイクロレンズアレイは、前記照射ユニットと前記追加の光学部品との間に配置される、請求項１に記載の装置。
【請求項１９】
前記追加の光学部品は、少なくとも１つのプリズムを含む、請求項１８に記載の装置。
【請求項２０】
前記追加の光学部品はプリズムアレイを含む、請求項１８に記載の装置。
【請求項２１】
前記構造化光は、前記干渉パターンに由来する、請求項１に記載の装置。
【請求項２２】
前記光源のうちの隣接する光源によって照射されるそれぞれのサブセットは、部分的に重なっている、請求項１に記載の装置。
【請求項２３】
前記光源の各々は、前記波長Ｌの光を円形または非円形の断面を有する発光円錐形に発光し、隣接する光源の発光円錐は部分的に重なっている、請求項１に記載の装置。
【請求項２４】
構造化光を生成するための装置であって、光学的構成を備え、前記光学的構成は、
レンズピッチＰ１で規則的に配列された複数の透過型または反射型のマイクロレンズを含む第１のマイクロレンズアレイと、
レンズピッチＰ２で規則的に配列された複数の透過型または反射型のマイクロレンズを含む第２のマイクロレンズアレイと、
前記第１のマイクロレンズアレイおよび前記第２のマイクロレンズアレイを照射するための照射ユニットとを含み、
前記照射ユニットは、
各々が波長Ｌ１の光を発し、各々がアパーチャを有する第１の光源のアレイを含み、前記アパーチャは、前記第１のマイクロレンズアレイから距離Ｄ１に位置する共通の第１の発光面に位置し、
（Ｐ１）２＝２＊（Ｌ１）＊（Ｄ１）／（Ｎ１）であり、
Ｎ１は整数であり、Ｎ≧１であり、前記照射ユニットはさらに、
各々が波長Ｌ２の光を発し、各々がアパーチャを有する第２の光源のアレイを含み、前記アパーチャは、前記第１のマイクロレンズアレイから距離Ｄ２に位置する共通の第２の発光面に位置し、
（Ｐ２）２＝２＊（Ｌ２）＊（Ｄ２）／（Ｎ２）であり、
Ｎ２は整数であり、Ｎ≧１である、構造化光を生成するための装置。
【請求項２５】
前記第１の光源のアレイは、前記第２の光源のアレイと同一である、請求項２４に記載の装置。
【請求項２６】
前記第１の光源のアレイは、前記第２の光源のアレイとは異なる、請求項２４に記載の装置。
【請求項２７】
距離Ｄ１は距離Ｄ２と異なる、請求項２６に記載の装置。
【請求項２８】
波長Ｌ１は波長Ｌ２と異なる、請求項２６に記載の装置。
【請求項２９】
レンズピッチＰ１はレンズピッチＰ２と異なる、請求項２４に記載の装置。
【請求項３０】
前記第１の発光面は、前記第２の発光面と同一である、請求項２４に記載の装置。